(57)【要約】【課題】  通信感度が低下することを抑制可能な画像形成装置を提供する。【解決手段】  筐体３の側面に突出部１１を設けるとともに、仮想の仮想面Ｓｏに投影された突出部１１が、仮想面Ｓｏに投影された読取装置２０の外縁内に位置し、かつ、無線基板１３の少なくとも一部が突出部１１内に配設されている。これにより、無線基板１３は画像形成部５からずれた箇所に位置する。したがって、画像形成部５が障害となって通信感度が低下することを抑制でき得る。【選択図】  図６
2015121681.tif 000002
【特許請求の範囲】
【請求項１】
シートに画像を形成する画像形成部と、
前記画像形成部を収納する筐体と、
前記筐体より上方に設けられ、シートに記載された内容を読み取る読取装置と、
前記筐体の側面から突出した突出部であって、仮想水平面に投影されたときに、前記仮想水平面に投影された前記読取装置の外縁内に位置する突出部と、
無線通信用の無線基板であって、少なくとも一部が前記突出部内に配設された無線基板と
を備えることを特徴とする画像形成装置。
【請求項２】
前記画像形成部を挟んで両側に設けられ、板状に構成された一対のフレームを備え、
前記突出部の突出方向は、前記フレームの板面に平行な方向であることを特徴とする請求項１に記載の画像形成装置。
【請求項３】
前記筐体の側面のうち前記突出部の突出方向と平行な側面は、当該突出部に沿って連なっていることを特徴とする請求項１又は２に記載の画像形成装置。
【請求項４】
前記突出部は前記読取装置を支持する支持部を有することを特徴とする請求項１ないし３のいずれか１項に記載の画像形成装置。
【請求項５】
前記無線基板にはアンテナ部が設けられており、
少なくとも前記アンテナ部は前記突出部内に位置していることを特徴とする請求項１ないし４のいずれか１項に記載の画像形成装置。
【請求項６】
ハーネスを介すことなく前記無線基板が電気的に接続された制御基板を備え、
前記アンテナ部は、前記突出部の突出方向と平行な方向において、前記制御基板に対してずれた位置に配置されていることを特徴とする請求項５に記載の画像形成装置。
【請求項７】
前記制御基板の端部のうち、前記アンテナ部に対応する部位の端部には、前記突出方向に陥没した凹部が設けられていることを特徴とする請求項６に記載の画像形成装置。
【請求項８】
前記フレームは樹脂製であることを特徴とする請求項２に記載の画像形成装置。
【請求項９】
前記フレームは、
前記画像形成部が組み付けられた一対の第１フレーム、及び
前記一対の第１フレームそれぞれに固定され、前記突出部の少なくとも一部を構成する一対の第２フレーム
を有することを特徴とする請求項２、７又は８のいずれか１項に記載の画像形成装置。
【請求項１０】
前記一対の第２フレームを繋ぐ連結部を有することを特徴とする請求項９に記載の画像形成装置。
【請求項１１】
前記無線基板は前記フレームに対して平行であることを特徴とする請求項２又は請求項７ないし１０のいずれか１項に記載の画像形成装置。
【請求項１２】
有線通信用の有線基板を備え、
前記有線基板は前記無線基板に対して上下方向にずれた位置に配設されていることを特徴とする請求項１ないし１１のいずれか１項に記載の画像形成装置。
【請求項１３】
前記無線基板は前記有線基板に対して上方にずれた位置に配設されていることを特徴とする請求項１２に記載の画像形成装置。
【請求項１４】
前記筐体の上面に設けられ、シートが載置される排出トレイと、
画像形成が終了したシートを前記排出トレイに向けて排出する排出ローラとを備え、
前記無線基板は、前記排出ローラによるシートの排出方向において、前記排出ローラに対して前記排出トレイと反対側に位置していることを特徴とする請求項１ないし１３のいずれか１項に記載の画像形成装置。
【請求項１５】
前記画像形成部は、シートに転写された現像剤を加熱する定着器を有する電子写真方式であることを特徴とする請求項１ないし１４のいずれか１項に記載の画像形成装置。
【請求項１６】
前記読取装置の読取部にシートを搬送するオートドキュメントフィーダ機構を備え、
前記仮想水平面に投影された前記オートドキュメントフィーダ機構は、前記仮想水平面に投影された前記画像形成部に対して前記水平面に投影された前記無線基板と反対側に位置していることを特徴とする請求項１ないし１５のいずれか１項に記載も画像形成装置。
【請求項１７】
前記画像形成部に駆動力を供給する駆動機構を備え、
前記仮想水平面に投影された前記駆動機構は、前記仮想水平面に投影された前記画像形成部に対して前記水平面に投影された前記無線基板と反対側に位置していることを特徴とする請求項１ないし１６のいずれか１項に記載も画像形成装置。
【請求項１８】
シートに画像を形成する画像形成部と、
前記画像形成部を収納する筐体と、
前記筐体より上方に設けられ、シートに記載された内容を読み取る読取装置と、
前記筐体の側面から突出した突出部であって、仮想水平面に投影されたときに、当該仮想水平面に投影された前記読取装置の外縁内に位置する突出部と、
無線通信用の無線基板が接続される第１コネクタ部を有する制御基板とを備え、
前記第１コネクタ部は前記突出部内に位置していることを特徴とする画像形成装置。
【発明の詳細な説明】
【技術分野】
【０００１】
本発明は、シートに画像を形成する画像形成装置に関する。
【背景技術】
【０００２】
例えば、特許文献１に記載の画像形成装置は、無線基板を介して無線通信にてコンピュータ等に接続可能である。当該発明に係る無線基板は本体フレームに組み付けられている。
【０００３】
本体フレームは、画像形成部を挟んで水平方向両側に設けられた強度部材であって、画像形成部を保持するための強度部材である。特許文献１に記載の発明に係る本体フレームは金属製である。このため、特許文献１に記載の発明に係る無線基板は、本体フレームの一部を切り欠いた切欠部に配設されている。
【先行技術文献】
【特許文献】
【０００４】
【特許文献１】特開２００６−５３４７７号公報
【発明の概要】
【発明が解決しようとする課題】
【０００５】
本体フレームは画像形成部を挟んで水平方向両側に位置して画像形成部を支持している。つまり、本体フレームは画像形成部を水平方向から覆う部位に位置していることになる。
【０００６】
このため、無線基板を単純に本体フレームに組み付けると、画像形成部を水平方向から覆う部位に無線基板が位置する場合がある。このような位置に無線基板が位置すると、画像形成部が障害となって通信感度が低下するおそれがある。
【０００７】
本発明は、上記点に鑑み、通信感度が低下することを抑制可能な画像形成装置を提供することを目的とする。
【課題を解決するための手段】
【０００８】
本発明は、上記目的を達成するために、シートに画像を形成する画像形成部（５）と、画像形成部（５）を収納する筐体（３）と、筐体（３）より上方に設けられ、シートに記載された内容を読み取る読取装置（２０）と、筐体（３）の側面（９Ｃ）から突出した突出部であって、仮想水平面（Ｓｏ）に投影されたときに、仮想水平面（Ｓｏ）に投影された読取装置（２０）の外縁内に位置する突出部（１１）と、無線通信用の無線基板であって、少なくとも一部が突出部（１１）内に配設された無線基板（１３）とを備えることを特徴とする。
【０００９】
これにより、本発明では、無線基板（１３）は画像形成部（５）からずれた箇所に位置する。したがって、画像形成部（５）が障害となって通信感度が低下することを抑制でき得る。
【００１０】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００１１】
【図１】本発明の実施形態に係る画像形成装置１の前面側斜視図である。
【図２】本発明の実施形態に係るプリンタ部１０の中央断面図である。
【図３】第１フレーム９Ａ及び第１フレーム９Ａ等の斜視図である。
【図４】本発明の実施形態に係る画像形成装置１の後面側斜視図である。
【図５】本発明の実施形態に係る画像形成装置１において、サイドカバー３Ｇを取り外した図である。
【図６】本発明の実施形態における画像形成部５、無線基板１３、フレーム９及び駆動機構１７等が仮想面Ｓｏに投影された状態を示す図である。
【図７】本発明の実施形態に係る制御基板１５及び無線基板１３等の周囲を示す図である。
【図８】本発明の実施形態に係る制御基板１５と無線基板１３との配置関係を示す図である。
【図９】本発明の実施形態に係る駆動機構１７を示す図である。
【図１０】本発明の実施形態に係る読取装置２０と支持部１１Ｂとの関係を示す図である。
【発明を実施するための形態】
【００１２】
以下に説明する「発明の実施形態」は実施形態の一例を示すものである。つまり、特許請求の範囲に記載された発明特定事項等は、下記の実施形態に示された具体的手段や構造等に限定されるものではない。
【００１３】
本実施形態は、コンピュータに接続可能な画像形成装置に本発明を適用したものである。各図に付された方向を示す矢印等は、各図相互の関係を理解し易くするために記載したものである。本発明は、各図に付された方向に限定されるものではない。
【００１４】
少なくとも符号を付して説明した部材又は部位は、「複数」や「２つ以上」等の断りをした場合を除き、少なくとも１つ設けられている。以下、本発明の実施形態を図面と共に説明する。
【００１５】
（第１実施形態）
１．画像形成装置の概要
本実施形態に係る画像形成装置１は、図１に示すように、画像形成部５を有するプリンタ部１０と読取装置２０とが一体化されている。読取装置２０はシート状の原稿に記載された内容を読み取る。そして、当該読取装置２０は画像形成部５が収納された筐体３の上方側に設けられている。
【００１６】
筐体３の前面側には、給紙カバー３Ａが揺動可能に組み付けられている。筐体３の上面側には、延長トレイ３Ｂが揺動可能に組み付けられている。図１に示す給紙カバー３Ａは閉じた状態を示している。略矩形板に形成された給紙カバー３Ａは、その下端側に設けられた揺動軸（図示せず。）を揺動中心として前方側に揺動して開く。
【００１７】
図１に示す延長トレイ３Ｂは閉じた状態を示している。略矩形板に形成された延長トレイ３Ｂが前方側に開くように揺動すると、排出トレイ３Ｄが前方側に延長された状態となる。排出トレイ３Ｄは画像形成が終了したシートが排出される部位であって、排紙部３Ｃに設けられている。
【００１８】
画像形成を行う場合には、利用者は、給紙カバー３Ａを及び延長トレイ３Ｂを前方側に回転させて給紙カバー３Ａ及び延長トレイ３Ｂを開くとともに、その開いた給紙カバー３Ａ上にシートを載置する。そして、給紙カバー３Ａ上に載置されたシートは、筐体３内の画像形成部５に給送される。画像形成が終了したシートは、排出トレイ３Ｄの上面である載置面３Ｅ上に載置されていく。
【００１９】
画像形成部５は用紙等のシートに画像を形成する。この画像形成部５は、電子写真方式の画像形成部であって、図２に示すように、感光ドラム５Ａ、帯電器５Ｂ、露光器５Ｃ、転写部５Ｄ及び定着器５Ｅ等を有する。そして、感光ドラム５Ａの回転中心線Ｌ１より上方側に載置面３Ｅが設けられている。
【００２０】
感光ドラム５Ａは現像剤像を担持する。帯電器５Ｂは感光ドラム５Ａの表面を帯電させる。露光器５Ｃは帯電した感光ドラム５Ａを露光して静電潜像を形成する。転写部５Ｄは感光ドラム５Ａに担持された現像剤をシートに転写させる。
【００２１】
定着器５Ｅはシートに転写された現像剤を定着させる。定着器５Ｅから排出されるシートは、画像形成が終了したシートとして、排出ローラ７Ａにより排出トレイ３Ｄに向けて排出される。一対の押圧ローラ７Ｂはシートを排出ローラ７Ａに押し付ける。これにより、シートの曲がり癖（カール）が矯正されながらシートが排出される。
【００２２】
感光ドラム５Ａ及び露光器５Ｃが内蔵されたプロセスケーシング５Ｆ、並びに定着器５Ｅ等の画像形成部５は装置本体に組み付けられている。装置本体とは、図３に示す一対のフレーム９や筐体３等、通常使用時において利用者により着脱・分解されない部位をいう。
【００２３】
図２に示すフィーダ機構１２は、給紙カバー３Ａ上に載置されたシートを画像形成部５に搬送する。フィーダ機構１２は、ピックアップローラ１２Ａ及び分離部１２Ｂ等を有している。ピックアップローラ１２Ａ及び分離部１２Ｂ、並びに画像形成部５を構成する機器のうち感光ドラム５Ａ等の回転体等は、電動モータ等の駆動源８（図９参照）から駆動力の供給を受けて回転する。
【００２４】
ピックアップローラ１２Ａは、積層状態で載置された複数枚のシートのうち積層方向一端側に位置するシートに接触して回転する。分離部１２Ｂは、ピックアップローラ１２Ａから複数枚のシートが送出されたときに、それらシートを１枚ずつに分離して画像形成部５側に送出する。
【００２５】
２．フレーム及び外装カバー等の構造
図３に示すように、一対のフレーム９は略板状の構造部材である。各フレーム９はプロセスケーシング５Ｆ等の画像形成部５を挟んで水平方向両側に配置されている。そして、各フレーム９は第１フレーム９Ａ及び第２フレーム９Ｂを有している。
【００２６】
第１フレーム９Ａ及び第２フレーム９Ｂは共に略板状に構成された樹脂製の部材である。すなわち、第１フレーム９Ａ及び第２フレーム９Ｂは、水平方向に対して略直交する壁状の板面、及び当該板面から突出した多数の補強用突起部が樹脂にて一体成形されたものである。
【００２７】
なお、第１フレーム９Ａの板面、第２フレーム９Ｂの板面、又はフレーム９の板面とは、上記の水平方向に対して略直交する壁状の板面をいう。これらの板面は、後述するサイドカバー３Ｇ、３Ｈの外観意匠面と平行な面である。
【００２８】
したがって、第１フレーム９Ａの板面と第２フレーム９Ｂの板面とは互いに平行であり、かつ、第１フレーム９Ａの板面及び第２フレーム９Ｂの板面はフレーム９の板面に対して平行である。
【００２９】
一対の第１フレーム９Ａにはプロセスケーシング５Ｆ等の画像形成部５が組み付けられている。各第２フレーム９Ｂは一対の第１フレーム９Ａそれぞれにネジ等の固定具（図示せず。）により固定されている。
【００３０】
なお、第２フレーム９Ｂを第１フレーム９Ａに固定する各ネジは、破線矢印で示されるように、第２フレーム９Ｂを貫通して第１フレーム９Ａに設けられた雌ねじ穴に組み付けられる。以下、一体化された第１フレーム９Ａと第２フレーム９Ｂとをフレーム９という。
【００３１】
一対の第２フレーム９Ｂは連結部９Ｃにより連結されている。連結部９Ｃは各第２フレーム９Ｂの板面に対して直交する板面を有する板状の部材である。そして、本実施形態では、一対の第２フレーム９Ｂと連結部９Ｃとは樹脂にて一体成形されて一体化されている。
【００３２】
筐体３は、図４に示すように、一対のフレーム９等を外側から覆って外観意匠面を構成する外装カバー３Ｇ〜３Ｊ等により構成されている。外装カバー３Ｇ、３Ｈは一対のフレーム９、つまり一対の第１フレーム９Ａ及び一対の第２フレーム９Ｂを幅方向から覆うサイドカバーである。
【００３３】
幅方向とは一対のフレーム９が対向する方向をいう。なお、本実施形態に係る幅方向は画像形成装置１の左右方向と一致する。つまり、外装カバー３Ｇ、３Ｈ（以下、サイドカバー３Ｇ、３Ｈともいう。）は筐体３の側面のうち右側面及び左側面を構成する。
【００３４】
外装カバー３Ｊは、図５に示すように、一対のフレーム９を上方側から覆うとともに、排出トレイ３Ｄ及び載置面３Ｅを構成するトップカバーである。筐体３の側面のうち後方側面は、図４に示すように、連結部９Ｃにより構成されている。
【００３５】
筐体３の後方側面、つまり連結部９Ｃには、その板面から水平方向に突出した突出部１１が少なくとも１つ設けられている。なお、本実施形態では、２つの突出部１１が設けられているとともに、それら２つの突出部１１は幅方向両端に設けられている。
【００３６】
一対の突出部１１は、筐体３の後方側面（連結部９Ｃ）から後方側に突出し、かつ、その突出方向先端部を連ねた尾根部１１Ａが、読取装置２０の直下から筐体３の下端位置と同等の位置まで延びている。
【００３７】
このため、図６に示すように、突出部１１及び読取装置２０が仮想の水平面（以下、仮想面Ｓｏという。）に投影されたとき、仮想面Ｓｏに投影された読取装置２０の外縁内に、仮想面Ｓｏに投影された投影された突出部１１が位置する。
【００３８】
突出部１１の突出方向Ｄ１は、フレーム９の板面に平行な方向、つまりサイドカバー３Ｇ、３Ｈと平行である。各サイドカバー３Ｇ、３Ｈの意匠面は、図４に示すように、各突出部１１に沿って連なった面となっている。このため、各サイドカバー３Ｇ、３Ｈのうち、第１フレーム９Ａを覆う部分と第２フレーム９Ｂを覆う部分とは連続した１つの面となっている。
【００３９】
各第２フレーム９Ｂは、図３に示すように、各突出部１１の少なくとも一部を構成している。具体的には、一対の第２フレーム９Ｂのうち互いに対向して面している部位９Ｄは、突出部１１のうち突出方向と平行な面を構成する。そして、突出部１１のうち突出方向と平行な面であって当該部位９Ｄと反対側は、サイドカバー３Ｇ、３Ｈにより構成される。
【００４０】
一対の突出部１１のうち一方の突出部１１（本実施形態では、サイドカバー３Ｇ側の突出部１１）内には、図７に示すように、無線通信用の無線基板１３の少なくとも一部が位置している。無線基板１３は、図５に示すように、無線通信用のアンテナ部１３Ａを有している。そして、無線基板１３のうち少なくともアンテナ部１３Ａは、突出部１１内に位置している。
【００４１】
このため、無線基板１３は、図２に示すように、排出ローラ７Ａによるシートの排出方向において、排出ローラ７Ａに対して排出トレイ３Ｄと反対側に位置する。つまり、無線基板１３は、定着器５Ｅ等の高い熱熱を発生する機器、及び帯電器５Ｂや転写分５Ｄ等の高い電圧を発生する機器からずれた部位に位置する。
【００４２】
制御基板１５は、画像形成部５及び駆動源８等の作動を制御する制御部（図示せず。）が設けられた基板である。無線基板１３は、図７に示すように、ハーネス（配線）を介すことなく制御基板１５に電気的に接続されている。
【００４３】
すなわち、制御基板１５には第１コネクタ部１５Ａが設けられている。無線基板１３には第１コネクタ部１５Ａに嵌合する第２コネクタ部１３Ｂが設けられている。無線基板１３と制御基板１５とは、第１コネクタ部１５Ａ及び第２コネクタ部１３Ｂを介して電気的に接続されている。
【００４４】
なお、本実施形態では、無線基板１３は、第２コネクタ部１３Ｂと第１コネクタ部１５Ａとが嵌合することにより制御基板１５に組み付けられている。つまり、第１コネクタ部１５Ａ及び第２コネクタ部１３Ｂは、無線基板１３を制御基板１５に取り付けるための取付部としても機能する。
【００４５】
制御基板１５は、一対のフレーム９のうち幅方向一端側（本実施形態では右端側）のフレームであって画像形成部５と反対側、つまりフレーム９のうち外装カバー３Ｇに対向した板面側に組み付けられている。制御基板１５及び無線基板１３は、その板面がフレーム９の板面に対して平行となっている。
【００４６】
このため、第２コネクタ部１３Ｂを第１コネクタ部１５Ａに嵌合させるための嵌合方向は、フレーム９の板面と直交する方向、つまり幅方向と平行である。そして、第１コネクタ部１５Ａ及び第２コネクタ部１３Ｂは、突出部１１内に配置されている。
【００４７】
なお、「第１コネクタ部１５Ａやアンテナ部１３Ａ等が突出部１１内に位置する」とは、図６に示すように、仮想面Ｓｏに第１コネクタ部１５Ａやアンテナ部１３Ａ及び突出部１１を投影したときに、投影された第１コネクタ部１５Ａやアンテナ部１３Ａ等が、投影された突出部１１の外縁内にすることをいう。
【００４８】
アンテナ部１３Ａは、図７に示すように、突出部１１の突出方向と平行な方向（本実施形態では、画像形成装置１の前後方向）において、制御基板１５に対してずれた位置に配置されている。具体的には、図８に示すように、制御基板１５に無線基板１３が取り付けられたとき、少なくともアンテナ部１３Ａに対応する部位１５Ｂに制御基板１５が存在しない構成となっている。
【００４９】
このため、制御基板１５の端部（図８では後端）のうち、アンテナ部１３Ａに対応する部位１５Ｂ側には、突出方向（図８では前端側）に陥没した凹部１５Ｃが設けられている。つまり、制御基板１５に無線基板１３が組み付けられた状態において、制御基板１５の板面と平行な仮想平面Ｓ１にアンテナ部１３Ａ及び凹部１５Ｃが投影されたとき、投影されたアンテナ部１３Ａが投影された凹部１５Ｃ内に位置する。
【００５０】
無線基板１３に対して上下方向にずれた位置には有線基板１４が配設されている。有線基板１４はＬＡＮケーブル等のケーブルを介した有線通信を行うためのものである。そして、本実施形態では、無線基板１３は有線基板１４に対して上方にずれた位置に配設されている。
【００５１】
なお、無線基板１３と有線基板１４との間には、ＵＳＢコネクタ等のコネクタ基板１４Ａが配設されている。有線基板１４及びコネクタ基板１４Ａは、コネクタやハーネス等を介することなく、ハンダ付けにて制御基板１５に直接的に接続されている。
【００５２】
一対のフレーム９のうち幅方向他端側（本実施形態では左端側）には、図９に示すように駆動機構１７が配設されている。つまり、仮想面Ｓｏに投影された駆動機構１７は、図６に示すように、仮想面Ｓｏに投影された画像形成部５に対して仮想面Ｓｏに投影された無線基板１３と反対側に位置している。
【００５３】
駆動機構１７は、駆動源８で発生した駆動力を感光ドラム５Ａ等の画像形成部５を構成する機器に供給する。なお、本実施形態に係る駆動機構１７は、複数の歯車１７Ａ及び歯付きベルトやＶベルト等の無端ベルト１７Ｂ等を有して構成されている。
【００５４】
３．読取装置の構造等
図１０に示すように、一対の突出部１１、つまり各第２フレーム９Ｂの上端側には、読取装置２０を支持する支持部１１Ｂが設けられている。一対の支持部１１Ｂは読取装置２０に設けられたフック状の係合部２０Ａと揺動可能に係合する。
【００５５】
つまり、一対の支持部１１Ｂは、読取装置２０をプリンタ部１０に対して揺動可能に支持する。そして、読取装置２０は、排紙部３Ｃの上方側を閉塞する閉塞位置と排紙部３Ｃの上方側を開放する開放位置との間で揺動可能である。
【００５６】
外装カバー３Ｊ及びサイドカバー３Ｇ、３Ｈは、読取装置２０が閉塞位置にある場合に、支持部１１Ｂと協働して読取装置２０を支える支柱部を兼ねている。そして、閉塞位置は、読取装置２０が閉塞位置にある場合に利用者が排紙部３Ｃに手を挿入したとき、利用者が排出されたシートを容易に取り出すことが可能な位置に設定されている。
【００５７】
読取装置２０は、搬送原稿読取機能及び載置原稿読取機能を兼ね備えている。搬送原稿読取機能は、搬送される原稿を読み取る機能である。載置原稿読取機能は、図１に示すように、原稿台２１の載置面（図示せず。）に載置される原稿を読み取る機能である。
【００５８】
オートドキュメントフィーダ機構２３は、原稿トレイ２３Ａに載置された原稿を読取装置２０の読取部（図示せず。）に搬送するとともに、読み取りが完了した原稿を排紙トレイ２３Ｂに排出する。当該オートドキュメントフィーダ機構２３は、排出トレイ３Ｄの幅方向他端側（本実施形態では左端側）上方に配設されている。
【００５９】
つまり、仮想面Ｓｏに投影されたオートドキュメントフィーダ機構２３は、図６に示すように、仮想面Ｓｏに投影された画像形成部５に対して水平面Ｓｏに投影された無線基板１３と反対側に位置している。
【００６０】
４．本実施形態に係る画像形成装置の特徴
本実施形態は、仮想面Ｓｏに投影された突出部１１が、仮想面Ｓｏに投影された読取装置２０の外縁内に位置し、かつ、無線基板１３の少なくとも一部が突出部１１内に配設されていることを特徴としている。
【００６１】
これにより、本実施形態では、無線基板１３は画像形成部５からずれた箇所に位置する。したがって、画像形成部５が障害となって通信感度が低下することを抑制でき得る。
本実施形態では、アンテナ部１３Ａは、突出部１１の突出方向と平行な方向において、制御基板１５に対してずれた位置に配置されていることを特徴としている。これにより、制御基板１５が障害となって通信感度が低下することを抑制でき得る。
【００６２】
そして、本実施形態では、制御基板１５の端部のうちアンテナ部１３Ａに対応する部位１５Ｂの端部には、上記突出方向に陥没した凹部１５Ｃが設けられているので、アンテナ部１３Ａを制御基板１５に対して容易にずらすことができる。
【００６３】
本実施形態では、フレーム９は樹脂製であることを特徴としているので、フレーム９が障害となって通信感度が低下することを抑制でき得る。
本実施形態では、有線基板１４は無線基板１３に対して上下方向にずれた位置に配設されていることを特徴としているので、有線基板１４が障害となって通信感度が低下することを抑制でき得る。
【００６４】
本実施形態では、画像形成部５は、シートに転写された現像剤を加熱する定着器５Ｅを有する電子写真方式であることを特徴としている。そして、本実施形態では、定着器５Ｅと無線基板１３とが離間した構造となるので、定着器５Ｅの熱により無線基板１３が損傷してしまうことを抑制できる。
【００６５】
本実施形態では、仮想面Ｓｏに投影されたオートドキュメントフィーダ機構２３は、仮想面Ｓｏに投影された画像形成部５に対して仮想面Ｓｏに投影された無線基板１３と反対側に位置していることを特徴としている。これにより、通信ノイズの発生源となる可能性があるオートドキュメントフィーダ機構２３と無線基板１３とが離間した構造となるので、通信感度が低下することを抑制できる。
【００６６】
（その他の実施形態）
上述の実施形態では、メーカ出荷時点から無線基板１３を備える画像形成装置１であったが、本発明はこれに限定されるものではなく、例えば無線基板１３がオプション設定となっている画像形成装置にも適用できる。
【００６７】
つまり無線基板１３がオプション設定となっている画像形成装置では、制御基板１５に第１コネクタ部１５Ａが設けられているものの、メーカ出荷時点では、第１コネクタ部１５Ａに無線基板１３が装着されていない場合がある。そして、本発明は、第１コネクタ部１５Ａに無線基板１３が装着されていない画像形成装置にも適用できる。
【００６８】
上述の実施形態では、ハーネスを介すことなく、第１コネクタ部１５Ａと第２コネクタ部１３Ｂとを嵌合させたが、本発明はこれに限定されるものではなく、例えば、制御基板１５と無線基板１３とをハーネスにて接続してもよい。
【００６９】
上述の実施形態では、無線基板１３がフレーム９の板面に対して平行であったが、本発明はこれに限定されるものではなく、例えば、無線基板１３をフレーム９の上端側に配設して無線基板１３をフレーム９の板面に対して直交させてもよい。
【００７０】
上述の実施形態では、制御基板１５がアンテナ部１３Ａに対してずれた位置に配設されていたが、本発明はこれに限定されるものではなく、幅方向に直交する仮想平面にアンテナ部１３Ａ及び制御基板１５が投影されたとき、その投影されたアンテナ部１３Ａ及び制御基板１５が重なっていてもよい。
【００７１】
上述の実施形態では、少なくともアンテナ部１３Ａが突出部１１内に位置していたが、本発明はこれに限定されるものではなく、無線基板１３の少なくとも一部が突出部１１内に位置していれば十分である。
【００７２】
上述の実施形態に係る画像形成部５は、モノクロの電子写真方式であったが、本発明はこれに限定されるものではなく、例えばカラーの電子写真方式、又はインクジェット方式であってもよい。
【００７３】
また、本発明は、特許請求の範囲に記載された発明の趣旨に合致するものであればよく、上述の実施形態に限定されるものではない。
【符号の説明】
【００７４】
１… 画像形成装置  ３… 筐体  ３Ａ… 給紙カバー
３Ｂ… 延長トレイ  ３Ｃ… 排紙部  ３Ｄ… 排出トレイ  ３Ｅ… 載置面
３Ｇ〜３Ｊ… 外装カバー  ５… 画像形成部  ５Ａ… 感光ドラム
５Ｂ… 帯電器  ５Ｃ… 露光器  ５Ｄ… 転写部  ５Ｅ… 定着器
５Ｆ… プロセスケーシング  ７Ａ… 排出ローラ  ７Ｂ… 押圧ローラ
８… 駆動源  ９… フレーム  ９Ａ… 板面  １１… 突出部
１２… フィーダ機構  １２Ａ… ピックアップローラ  １２Ｂ… 分離部
１３… 無線基板  １３Ａ… アンテナ部  １３Ｂ… 第２コネクタ部
１５… 制御基板  １５Ａ… 第１コネクタ部  １７… 駆動機構
１７Ａ… 歯車  ２０… 読取装置  ２１… 原稿台
２３… オートドキュメントフィーダ機構
【図１】
2015121681.tif 000003
【図２】
2015121681.tif 000004
【図３】
2015121681.tif 000005
【図４】
2015121681.tif 000006
【図５】
2015121681.tif 000007
【図６】
2015121681.tif 000008
【図７】
2015121681.tif 000009
【図８】
2015121681.tif 000010
【図９】
2015121681.tif 000011
【図１０】
2015121681.tif 000012